(57)【要約】【課題】  自動車の室内灯の照明能力の大幅な増大と、両バルブ挟持コンタクトの挟持間隔の大小に、簡便に対応できる両口金バルブを提供すること。【解決手段】自動車の室内灯のケースに配設される両バルブ挟持コンタクトの各嵌合穴において、それぞれバルブ本体の両端に形成される円錐状の口金が嵌合される両口金バルブにおいて、バルブ本体の外面に複数個のＬＥＤの照明部を突出させること、また、バルブ本体の前記口金が配設される両面に直交する対向二面に、相互に雌雄嵌着する雌雄嵌着手段を配設するとともに、前記ＬＥＤに電気的に連接される接点が配設されること、さらに、前記口金が、伸縮位置決め機構により、バルブ本体に対して両口金の中心を結ぶ軸心方向に伸縮自在に位置決めされること、さらに、前記の要件に加えて、前記バルブ本体のＬＥＤの照明部の突出側において、全照明部を包蔵して乱反射部を有する透光性のカバーがバルブ本体に被蓋されること、によって達成される。【選択図】図３
0003133366.tif 000002
【実用新案登録請求の範囲】
【請求項１】
自動車の室内灯のケースに配設される両バルブ挟持コンタクトの各嵌合穴において、それぞれバルブ本体の両端に形成される円錐状の口金が嵌合される両口金バルブにおいて、
バルブ本体は、外面に複数個のＬＥＤの照明部が突出されて成る両口金バルブ。
【請求項２】
バルブ本体の前記口金が配設される両面に直交する対向二面に、相互に雌雄嵌着する雌雄嵌着手段を配設するとともに、前記ＬＥＤに電気的に連接される接点が配設されて成る請求項１記載の両口金バルブ。
【請求項３】
前記口金が、伸縮位置決め機構により、バルブ本体に対して両口金の中心を結ぶ軸心方向に伸縮自在に位置決めされて成る請求項１又は２記載の両口金バルブ。
【請求項４】
前記バルブ本体のＬＥＤの照明部の突出側において、全照明部を包蔵して乱反射部を有する透光性のカバーが、バルブ本体に被蓋されて成る請求項１、２又は３記載の両口金バルブ。
【考案の詳細な説明】
【技術分野】
【０００１】  本考案は、自動車の乗客または車室を照明する室内灯として使用される両口金バルブに関する。
【背景技術】
【０００２】  従来から提供されている自動車用ルームランプにおける両口金バルブは、実開平３−４４０４４号公報（特許文献１）に開示されているように、照明能力の増大や両バルブ挟持コンタクト間の変更に追従する技術に関しては何ら開示されていないものである。
また、照明能力の改善の面では特開２００３−１７４１９８号公報（特許文献２）で、「高輝度ＬＥＤ使用ルームランプ球」として提案されているが、このものは従来のバルブ本体に高輝度ＬＥＤからなる発光部分（１）と、これに被せたレンズ部分（２）を埋め込んだだけのものであり、大幅に照明能力を増大する技術は提案されていないのである。
【特許文献１】  実開平３−４４０４４号公報
【特許文献２】  特開２００３−１７４１９８号公報
【考案の開示】
【考案が解決しようとする課題】
【０００３】  本考案は上記実情に鑑みて、自動車の室内灯の照明能力の大幅な増大と、両バルブ挟持コンタクトの挟持間隔の大小とに、簡便に対応できる両口金バルブを提供するものである。
【課題を解決するための手段】
【０００４】  本考案の請求項１に記載した両口金バルブは、自動車の室内灯のケースに配設される両バルブ挟持コンタクトの各嵌合穴において、それぞれバルブ本体の両端に形成される円錐状の口金が嵌合される両口金バルブにおいて、
バルブ本体は、外面に複数個のＬＥＤの照明部が突出されて成る。
また、請求項２に記載した両口金バルブは、請求項１に記載した両口金バルブにおいて、バルブ本体の前記口金が配設される両面に直交する対向二面に、相互に雌雄嵌着する雌雄嵌着手段を配設するとともに、前記ＬＥＤに電気的に連接される接点が配設されて成る。
また、請求項３に記載した両口金バルブは、請求項１又は２に記載した両口金バルブにおいて、前記口金が、伸縮位置決め機構により、バルブ本体に対して両口金の中心を結ぶ軸心方向に伸縮自在に位置決めされて成る。
さらに、請求項４に記載した両口金バルブは、請求項１、２又は３に記載した両口金バルブにおいて、前記バルブ本体のＬＥＤの照明部の突出側において、全照明部を包蔵して乱反射部を有する透光性のカバーが、バルブ本体に被蓋されて成る。
【考案の効果】
【０００５】  以上のように、本考案の両口金バルブによれば、バルブ本体の外面に複数個のＬＥＤの照明部を突出させることにより、その照明能力が大幅に改善されるとともに、乱反射部を有する透光性のカバーを被蓋することによって照明範囲が広範となり、より一層明るさが改善され、しかも、バルブ本体の外面に前記ＬＥＤに電気的に連接する接点を有し、相互に雌雄嵌着する雌雄嵌着手段が配設されるから、簡単に複数個のＬＥＤを有するバルブブロックを増設でき、より一層照明能力が増大し、加えて、前記両口金が両バルブ挟持コンタクトの挟持間隔に伸縮自在に追従できるから、室内灯への適用範囲が広範となり、実用上極めて有益である。
【考案を実施するための最良の形態】
【０００６】  バルブ本体に対する口金の伸縮位置決め機構は、両口金の中心を結ぶ軸心方向に伸縮自在に案内する案内溝と、これと直交する方向に設ける回転案内溝と、これらに嵌入する舌片（或は突起）とを基本とし、これに回転案内溝の端部で、さらに舌片を押し込んで口金の回転防止を図る押し込み溝を付加したものが提供される。また、相互の雌雄嵌着による雌雄嵌着手段は、単に押し込むだけで弾性的に嵌着するものから、押し込み回転によって確実に抜け止めを図るものまで提供される。さらに、透光性のカバーにおける乱反射部とは、材質的に射出成形時に形成するものから、物理的に該カバーの内外面に形成される凹凸などである。
【実施例】
【０００７】  本考案の両口金バルブＡについて実施例に基づき説明すると、図１（ａ）乃至（ｄ）に示すように、正面視縦長矩形状（立体的には直方体状）のバルブ本体１には、その厚さ方向において二つ割に接合された内部空間に６個のＬＥＤ（発光ダイオード）２の基部が収蔵され、左右に突設される半円筒の合体から成る円筒部１ａには、それぞれ先端が円錐状で導電性の口金３が外嵌され、左右の口金３にはそれぞれ前記内部空間で接続されたアノード側同士の＋端子２ａとカソード側同士の−端子２ｂがそれぞれ筒空間を通して接続され、表面側外面には各ＬＥＤ２の照明部２ｃが突出され、裏面には放熱用の窓１ｂが内部空間に連通して開口されて成る。【０００８】  次に、図２に示す両口金バルブＢについて説明すると、このものは前記の両口金バルブＡにおいて、バルブ本体１の表面側に、僅かにその表面積を小にして外周部に嵌合代１ｃを残して嵌合起立部１ｄを立設し、該嵌合起立部１ｄに材質的に乱反射する性状の乱反射部４ａを内在する透光性のカバー４を嵌着して成る。乱反射部４ａは前記のほか、カバー４の内外面に形成される物理的な形状、すなわち、ランダムな凹凸などによるものでもよい。【０００９】  次の伸縮位置決め機構ｍを有する両口金バルブＣについて説明すると、図３（ａ）乃至（ｄ）に示すように、バルブ本体１の左右に突設する半円筒（厚さ方向で）の合体から成る円筒部１ａの外周面には図５（ａ）に示すように、上下に軸心方向に沿う案内溝１ｅと、該案内溝１ｅに直交する方向で外周面の基準点５と該基準点５と所要寸法隔てた拡張点６とにおいて、回転案内溝１ｆがそれぞれ前記案内溝１ｅに連通して相反する向きに欠切され、この案内溝１ｅに案内され、回転案内溝１ｆに位置決めされて所要位置に口金３を支持する舌片７ａは、外周に口金３を外嵌する半円筒の合体から成る摺動筒７の内周面の対向する二箇所に垂下されて成る。そして、前記舌片７ａを案内して口金３を基準点５と拡張点６とで位置決めする案内手段は、前記の図５（ａ）に示すもののほか、図５（ｂ）に示すように、円筒部１ａの外周面の上下で軸心方向に沿う案内溝１ｅと、該案内溝１ｅに直交する方向で外周面に沿う方向に欠切される回転案内溝１ｆと、該回転案内溝１ｆの端部でバルブ本体１に向けて軸心に沿って欠切される欠切端をそれぞれ基準点５と拡張点６（基準点５からのストロークをＳとする。）とする押し込み溝１ｇとが欠切されるものでも提供される。
したがって、図５（ｂ）に示すものでは使用時には、室内灯などのケースに内設される両バルブ挟持コンタクト（図外）によって軸心に沿う弾発力でバルブ本体１側に押圧されて挟持される上、押し込み溝１ｇに舌片７ａが嵌入しているから、振動などによる回転方向への緩みがなく、しっかりと固定されるものである。【００１０】  このようにして成る両口金バルブＣは、バルブ本体１における両口金３が、それぞれ基準点５における取付け寸法に対して拡張点６までのストロークＳの倍、すなわち、２Ｓ寸法だけ広い拡張取付け寸法にも対応できるものである。
なお、前記した舌片７ａと案内溝１ｅと回転案内溝１ｆとの関係は、前記のほか、舌片７ａを突起に代えて円筒部１ａの外周面に該突起を立設し、案内溝１ｅと回転案内溝１ｆ或は案内溝１ｅと回転案内溝１ｆ及び押し込み溝１ｇとを、摺動筒７の内周面に欠切するものとしても提供され得る。【００１１】  さらに、図６に示す両口金バルブＤについて説明すると、このものは両口金バルブＡにおいて、バルブ本体１の口金３のない対向二面に相互に雌雄嵌着する雌雄嵌着手段として、一方に嵌着雄部１ｈを設け、他方に嵌着雌部１ｉを設け、両者の中央部にアノード側の＋端子２ａの＋接点２ａａとカソード側の−端子２ｂの−接点２ｂｂが配設されて成る。
すなわち、一方の嵌着雄部１ｈは中央部の角形突出部１ｊと、その左右に張り出す丸軸部１ｋとから成り、該角形突出部１ｊの中央には図６（ｃ）に示すように、前記した＋接点２ａａと−接点２ｂｂが配設され、他方の嵌着雌部１ｉは前記角形突出部１ｊを上下から挟持する庇部１ｌと、その左右にあって前記丸軸部１ｋを上下から挟持する側面視横向きΩ（オメガ）状の嵌着部１ｍとから成り、中央部には図６（ｄ）に示すように、前記した＋接点２ａａと−接点２ｂｂが配設されて成る。
上記のような嵌着雄部１ｈと嵌着雌部１ｉによる雌雄嵌着手段をバルブ本体１に配設する技術思想は、一個のバルブ本体１の照明能力の増大に連係して、両口金バルブＡの両口金３に代えてそれぞれ前記と同じ嵌着雄部１ｈと嵌着雌部１ｉとを配設したバルブブロック１０に発展し、図８に示すように、両口金バルブＤの他方の嵌着雌部１ｉにバルブブロック１０の一方の嵌着雄部１ｈが嵌着してそれぞれの＋接点２ａａ同士と−接点２ｂｂ同士が接続し、照明能力が増大されるものである。【００１２】  さらに、図７に示す両口金バルブＥについて説明すると、このものは前記両口金バルブＤと同要素から成り立つものであるが、嵌着雄部１ｈと嵌着雌部１ｉの構成が異なる。
すなわち、この場合の嵌着雄部１ｈは、丸軸状の突起部１ｎの先端部左右に横向き半円弧状の係合片１ｏが突出され、突起部１ｎの中央には図７（ｄ）に示すように、＋接点２ａａと−接点２ｂｂが配設されて成り、他方に設けられる嵌着雌部１ｉは前記係合片１ｏを嵌入できる嵌入溝１ｐを上下に開口するとともに、前記突起部１ｎを嵌入できる嵌入口１ｑを該嵌入溝１ｐに連通して開口し、かつ、前記の係合片１ｏを収納して回転できる丸溝１ｒを内設し、その中央には図７（ｃ）に示すように、前記と同様の＋接点２ａａと−接点２ｂｂが配設されて成る。【００１３】  このようにして成る両口金バルブＥは、図９に示すように、前記のバルブブロック１０と組み合わされてその照明能力が増大される態様として提供される。すなわち、この場合は、両口金バルブＥの一方の嵌着雄部１ｈの係合片１ｏに対して、バルブブロック１０を９０度回転してその嵌着雌部１ｉの嵌入溝１ｐを合致させて突起部１ｎを嵌入口１ｑに挿入し、係合片１ｏが嵌着雌部１ｉの丸溝１ｒに嵌入した状態でバルブブロック１０を９０度元へ戻せば、両者はＬＥＤ２が一面に整列されて確実な抜け止め状態で雌雄嵌着される。
なお、前記両口金バルブＤ、Ｅにおいても、両口金バルブＣにおける伸縮位置決め機構ｍを設けて提供されることは勿論のこと、両口金バルブＣ乃至Ｅ及びバルブブロック１０においても前記カバー４が被蓋されて提供される。【００１４】  上記したこれらの両口金バルブＡ乃至Ｅは、自動車の室内灯として、公知のケースに内設される両バルブ挟持コンタクト（図外）に両口金３が挟持されて使用される。
本考案はまた、非常的に既存の室内灯のカバーを外した状態で、両バルブ挟持コンタクトに取り付けられる両口金バルブＡ乃至Ｅをベースとして、バルブブロック１０を順次に複数個接続すれば、室内灯の照明能力を格段に増大できるので、キャンピングカーやＲＶ（レクリエーション用自動車）などによる野外レジャーには好適なものである。さらに、このような観点から両口金バルブＡ乃至Ｅとバルブブロック１０との接続自由度を広範なものとするため、雌雄嵌着手段において、嵌着雄部１ｈと嵌着雌部１ｉとをそれぞれバルブ本体１の表裏面に向けて、該バルブ本体１に対して回動位置決め自在に構成するなどは、本考案から容易に想起される事項である。
【産業上の利用可能性】
【００１５】  本考案の両口金バルブは、自動車の既存の室内灯の照明能力を簡単に増大できるから、自動車使用者においては便利なものとして大いに需要が期待され、しかも、両バルブ挟持コンタクトの挟持間隔に対して、両口金を広狭自在に位置決めして対応できるから、バルブ製造業界においては、省力的に広範な自動車の車種に向けて量産できることとなり、コスト削減が達成されて極めて有益である。
【図面の簡単な説明】
【００１６】
【図１】本考案の両口金バルブＡの説明図で、（ａ）は口金３の一部を破断した正面図、（ｂ）はその右側面図、（ｃ）はその背面図、（ｄ）はその底面図。
【図２】本考案の両口金バルブＢの説明図で、（ａ）はカバー４を一部切除した状態の正面図、（ｂ）はその右側面図、（ｃ）はその底面図。
【図３】本考案の両口金バルブＣの説明図で、（ａ）は両口金３を拡張した状態の正面図、（ｂ）はその右側面図、（ｃ）はその背面図、（ｄ）はその底面図。
【図４】図３（ａ）のＡ−Ａ矢視拡大断面図。
【図５】両口金バルブＣにおける円筒部１ａの説明図で、（ａ）は案内溝１ｅと回転案内溝１ｆを設けた実施例、（ｂ）はさらに（ａ）の回転案内溝１ｆに加えて押し込み溝１ｇを設けた実施例。
【図６】本考案の両口金バルブＤの説明図で、（ａ）はその正面図、（ｂ）はその右側面図、（ｃ）はその平面図、（ｄ）はその底面図。
【図７】本考案の両口金バルブＥの説明図で、（ａ）はその正面図、（ｂ）はその右側面図、（ｃ）はその平面図、（ｄ）はその底面図。
【図８】両口金バルブＤに該両口金バルブＤに構成された雌雄嵌着手段と同一の雌雄嵌着手段を設けたバルブブロック１０を嵌着した状態の正面図。
【図９】両口金バルブＥに同一の雌雄嵌着手段を設けたバルブブロック１０を嵌着した状態の正面図。
【符号の説明】
【００１７】１    バルブ本体
１ａ  円筒部
１ｂ  窓
１ｃ  嵌合代
１ｄ  嵌合起立部
１ｅ  案内溝
１ｆ  回転案内溝
１ｇ  押し込み溝
１ｈ  嵌着雄部
１ｉ  嵌着雌部
１ｊ  角形突出部
１ｋ  丸軸部
１ｌ  庇部
１ｍ  嵌着部
１ｎ  突起部
１ｏ  係合片
１ｐ  嵌入溝
１ｑ  嵌入口
１ｒ  丸溝
２    ＬＥＤ
２ａ  ＋端子
２ａａ  ＋接点
２ｂ  −端子
２ｂｂ  −接点
２ｃ  照明部
３    口金
４    カバー
４ａ  乱反射部
５    基準点
６    拡張点
７    摺動筒
７ａ  舌片
１０  バルブブロック
ｍ    伸縮位置決め機構
ｓ    ストローク
Ａ乃至Ｅ  両口金バルブ
【図１】
0003133366.tif 000003
【図２】
0003133366.tif 000004
【図３】
0003133366.tif 000005
【図４】
0003133366.tif 000006
【図５】
0003133366.tif 000007
【図６】
0003133366.tif 000008
【図７】
0003133366.tif 000009
【図８】
0003133366.tif 000010
【図９】
0003133366.tif 000011